(57)【特許請求の範囲】
【請求項１】
車両の合成樹脂製の天井部の開口部に挿入可能なブラケットを備え、  枠状部と、前記枠状部に形成された開口部と、前記枠状部の開口部奥行き方向での手前側の端部に備えられたフランジ部と、前記枠状部の開口部奥行き方向での奥側の端部に備えられた係合部とを備えて、前記ブラケットを構成して、
天井部の開口部への挿入及び抜き出しを可能にする退避姿勢、及び天井部の開口部の縁部に係合して天井部の開口部に前記ブラケットを固定する固定姿勢に亘り変位可能に、前記ブラケットの係合部を構成すると共に、
前記ブラケットの開口部に挿入可能でブラケットのフランジ部よりも大きな幅のフランジ部を外周部に備えた照明ランプの本体部と、前記ブラケットの開口部に照明ランプの本体部を挿入した状態でブラケットに照明ランプの本体部を固定可能及び固定解除可能な固定部材とを備えて、
前記ブラケットの開口部に照明ランプの本体部を挿入すると、前記照明ランプの本体部によりブラケットの係合部が固定姿勢に押し操作され、前記ブラケットのフランジ部と係合部とにより、天井部の開口部の縁部が変形させられながら挟み込まれ、前記照明ランプの本体部のフランジ部がブラケットのフランジ部の外面に位置して、前記照明ランプの本体部のフランジ部とブラケットの係合部とにより、天井部の開口部の縁部が挟み込まれて、前記照明ランプの本体部及びブラケットが天井部に固定されるように構成してある照明ランプ。
【請求項２】
前記ブラケットの係合部が弾性的に退避姿勢に復帰するように構成してある請求項１に記載の照明ランプ。
【発明の詳細な説明】
【０００１】
【発明の属する技術分野】
本発明は、照明ランプの構造に関する。
【０００２】
【従来の技術】
例えば乗用車や商用車、トラックやバス等の車両において、照明ランプを天井部に取り付ける場合、例えば特許文献１に開示されているように、天井部に開口部を設け、弾性的に変位自在な爪状の係合部を照明ランプに備えるように構成したものがある。
【０００３】
これにより特許文献１の構造によると、照明ランプを天井部に取り付ける際、照明ランプの係合部を天井部の開口部の縁部に当てながら、照明ランプを天井部の開口部に押し込み、照明ランプの係合部を弾性的に変位させて天井部の開口部の縁部に係合させることによって、照明ランプを天井部に取り付ける。逆に照明ランプを天井部から取り外す際、照明ランプを天井部の開口部から引き出し、照明ランプの係合部を弾性的に変位させて天井部の開口部の縁部から外すことによって、照明ランプを天井部から取り外す。
【特許文献１】
特開２００１−２５３２９３号公報（図１及び図２）
【０００４】
【発明が解決しようとする課題】
技術文献１の構造において、例えば照明ランプの修理や天井部の中側のメンテナンスを行う必要が生じて、照明ランプを何度も天井部に取り付けたり取り外したりすると、天井部の開口部の縁部や照明ランプの係合部が破損するおそれがある。天井部は一般に合成樹脂により一体的に成形されていることが多いので、天井部の開口部の縁部が破損する可能性が高いものになっている。
本発明は照明ランプにおいて、天井部の開口部に照明ランプを取り付けたり取り外したりしても天井部の開口部の縁部等が破損し難いように構成することを目的としている。
【０００５】
【課題を解決するための手段】
［Ｉ］
請求項１の特徴によると、車両の合成樹脂製の天井部の開口部に挿入可能なブラケットを備え、枠状部と、枠状部に形成された開口部と、枠状部の開口部奥行き方向での手前側の端部に備えられたフランジ部と、枠状部の開口部奥行き方向での奥側の端部に備えられた係合部とを備えて、ブラケットを構成している。天井部の開口部への挿入及び抜き出しを可能にする退避姿勢及び天井部の開口部の縁部に係合して天井部の開口部にブラケットを固定する固定姿勢に亘り変位可能に、ブラケットの係合部を構成している。ブラケットの開口部に挿入可能でブラケットのフランジ部よりも大きな幅のフランジ部を外周部に備えた照明ランプの本体部、ブラケットの開口部に照明ランプの本体部を挿入した状態でブラケットに照明ランプの本体部を固定可能及び固定解除可能な固定部材を備えている。ブラケットの開口部に照明ランプの本体部を挿入すると、照明ランプの本体部によりブラケットの係合部が固定姿勢に押し操作され、ブラケットのフランジ部と係合部とにより、天井部の開口部の縁部が変形させられながら挟み込まれ、照明ランプの本体部のフランジ部がブラケットのフランジ部の外面に位置して、照明ランプの本体部のフランジ部とブラケットの係合部とにより、天井部の開口部の縁部が挟み込まれて、照明ランプの本体部及びブラケットが天井部に固定されるように構成している。
【０００６】
これにより請求項１の特徴によると、照明ランプを天井部に取り付ける際、先ずブラケットの係合部を天井部の開口部に挿入し、天井部の開口部にブラケットを配置する。この場合、ブラケットの係合部を退避姿勢に設定しておけば、ブラケットの係合部を天井部の開口部の縁部に当てずに、又はブラケットの係合部を天井部の開口部の縁部に当てても、天井部の開口部の縁部やブラケットの係合部に無理を掛けずに、ブラケットの係合部を天井部の開口部に挿入することができる。
【０００７】
次に照明ランプの本体部をブラケットの開口部に挿入すると、照明ランプの本体部によりブラケットの係合部が固定姿勢に押され、ブラケットの係合部が天井部の開口部の縁部に係合し、ブラケットのフランジ部と係合部とにより、天井部の開口部の縁部が変形させられながら挟み込まれて、ブラケットが天井部の開口部に固定される。固定部材により照明ランプの本体部をブラケットに固定することにより、照明ランプ（ブラケット及び本体部）を天井部に取り付けることができる。
【０００８】
［ＩＩ］
前項［Ｉ］に記載の状態に対して照明ランプを天井部から取り外す際、固定部材を固定解除して照明ランプの本体部をブラケットの開口部から抜き出す。この場合、固定部材を固定解除しているので、照明ランプの本体部をブラケットの開口部から無理なく抜き出すことができる。
【０００９】
前述のようにブラケットの開口部から照明ランプの本体部を抜き出すと、照明ランプの本体部によりブラケットの係合部が固定姿勢に押される状態が消えるので、ブラケットの係合部を退避姿勢に設定して、ブラケットの係合部を天井部の開口部から抜き出す。この場合、ブラケットの係合部を退避姿勢に設定しておくことにより、ブラケットの係合部を天井部の開口部の縁部に当てずに、又はブラケットの係合部を天井部の開口部の縁部に当てても、天井部の開口部の縁部やブラケットの係合部に無理を掛けずに、ブラケットの係合部を天井部の開口部から抜き出すことができる。
【００１０】
［ＩＩＩ］
請求項２の特徴によると、請求項１の場合と同様に前項［Ｉ］［ＩＩ］に記載の「作用」を備えており、これに加えて以下のような「作用」を備えている。
請求項２の特徴によると、ブラケットの係合部が弾性的に退避姿勢に復帰するように構成している。
これにより、請求項２の特徴によると、前項［Ｉ］に記載のように、ブラケットの係合部を天井部の開口部に挿入する際、作業者が手でブラケットの係合部を持って退避姿勢に維持しながら、ブラケットの係合部を天井部の開口部に挿入すると言うようなことを行う必要がない。
【００１１】
請求項２の特徴によると、前項［ＩＩ］に記載のように、照明ランプを天井部から取り外す際、ブラケットの開口部から照明ランプの本体部を抜き出すと、ブラケットの係合部が自動的に退避姿勢に変位するので、作業者が手でブラケットの係合部を持って固定姿勢から退避姿勢に操作し退避姿勢に維持しながら、ブラケットの係合部を天井部の開口部から抜き出すと言うようなことを行う必要がない。
【００１２】
【発明の実施の形態】
図１に示すようにブラケット１及び本体部２によって照明ランプが構成されている。
先ずブラケット１について説明する。
図１に示すように、ブラケット１は充分な弾性を備えた金属製で一体的に成形されており、四角い枠状部３、枠状部３の外周部に備えられたフランジ部４が備えられ、枠状部３及びフランジ部４の中央に大きな開口部５が形成されている。へ字状に折り曲げられた係合部６が枠状部３の一辺の２箇所、反対側の一辺の２箇所に一体的に備えられている。
【００１３】
図１に示すように、ブラケット１において、係合部６は枠状部３から片持ち状に延出されているので、係合部６は枠状部３の部分から容易に弾性変形可能であり、図１及び図３（イ）に示す状態が係合部６の退避姿勢である。係合部６を図１に示す退避姿勢から紙面上方及び下方に変位させても、自身の弾性によって係合部６は図１に示す退避姿勢に復帰しようとする。
【００１４】
次に本体部２について説明する。
図１に示すように、合成樹脂により四角い箱の枠状の外枠部７が構成され、外枠部７の一方の外周部にフランジ部８が一体的に備えられており、外枠部７の一方の端部にソケット部９及び三角状の接当部１０が一体的に備えられている。外枠部７の他方の端部に、金属製の板バネを折り曲げて構成された固定部材１３が備えられている。
【００１５】
図１に示すように外枠部７の内部にバルブ１１が配置されており、バルブ１１へのハーネス（図示せず）のコネクタ（図示せず）がソケット部９に接続される。外枠部７におけるフランジ部８の位置に透過部１２が備えられており、透過部１２は半透明に構成されている。透過部１２の中央付近を支点として、透過部１２が外枠部７に対し天秤状に揺動するように支持されており、透過部１２はバルブ１１のスイッチの機能を備えている。透過部１２の一方を押し操作して透過部１２を一方に揺動させるとバルブ１１が点灯し、透過部１２の他方を押し操作して透過部１２を他方に揺動させるとバルブ１１が消灯する。
【００１６】
本発明の照明ランプは車両における天井用であり、図１に示すように車両の天井部１４が合成樹脂により一体的に構成されており、天井部１４において右及び左のリヤドアの上方に位置する部分に、四角い開口部１４ａが形成されている。これにより、照明ランプを天井部１４に取り付ける際、図１及び図３（イ）に示すように、先ずブラケット１の係合部６を天井部１４の開口部１４ａに挿入する。
【００１７】
この場合、ブラケット１の係合部６が退避姿勢（図３（イ）参照）となっている点、及びブラケット１の係合部６が枠状部３から片持ち状に延出されて容易に弾性変形可能である点によって、ブラケット１の係合部６を天井部１４の開口部１４ａの縁部に当てても、ブラケット１の係合部６が天井部１４の開口部１４ａの縁部に当たる量が小さく、且つブラケット１の係合部６が容易に弾性変形するので、天井部１４の開口部１４ａの縁部やブラケット１の係合部６に無理を掛けずに、ブラケット１の係合部６を天井部１４の開口部１４ａに挿入することができる。次に、ブラケット１の枠状部３を天井部１４の開口部１４ａに挿入して、ブラケット１のフランジ部４を天井部１４の開口部１４ａの縁部に当てる。
【００１８】
図１，２，３（ロ）に示すようにブラケット１に対し本体部２を斜めにしながら、本体部２のソケット部９及び接当部１０をブラケット１の開口部５に入れて、本体部２のフランジ部８と接当部１０との間に、ブラケット１の枠状部３及びフランジ部４を入れ込む。次に本体部２の固定部材１３を弾性変形させながらブラケット１の開口部５に入れて、本体部２の固定部材１３をブラケット１の枠状部３に係合させて、本体部２（外枠部７）の全体をブラケット１の開口部５に挿入する。
【００１９】
前述のように本体部２（外枠部７）の全体をブラケット１の開口部５に挿入すると、図２及び図３（ロ）に示すように、本体部２の外枠部７がブラケット１の係合部６に接当して、ブラケット１の係合部６が退避姿勢から固定姿勢に押し操作される。これにより、ブラケット１の係合部６が天井部１４の開口部１４ａの縁部に係合して、照明ランプ（ブラケット１及び本体部２）が天井部１４に取り付けられる。
【００２０】
照明ランプを天井部１４から取り外す際、前述とは逆に本体部２の固定部材１３を弾性的に変形させながらブラケット１の開口部５から抜き出し、本体部２のソケット部９及び接当部１０をブラケット１の開口部５から抜き出して、本体部２（外枠部７）の全体をブラケット１の開口部５から抜き出す。
【００２１】
前述のように本体部２（外枠部７）の全体をブラケット１の開口部５から抜き出すと、ブラケット１の係合部６が自身の弾性によって固定姿勢から退避姿勢に復帰する（図３（イ）参照）。ブラケット１の係合部６が退避姿勢になれば、これに加えてブラケット１の係合部６が枠状部３から片持ち状に延出されて容易に弾性変形可能である点によって、ブラケット１の係合部６を天井部１４の開口部１４ａの縁部に当てても、ブラケット１の係合部６が天井部１４の開口部１４ａの縁部に当たる量が小さく、且つブラケット１の係合部６が容易に弾性変形するので、天井部１４の開口部１４ａの縁部やブラケット１の係合部６に無理を掛けずに、ブラケット１の係合部６を天井部１４の開口部１４ａから抜き出すことができる。
【００２２】
［発明の実施の別形態］
前述の［発明の実施の形態］において、ブラケット１に係合部６を一体的に備えるのではなく、ヒンジ構造等により係合部６を自由に揺動できるようにブラケット１に備えてもよい。このように構成すると、ブラケット１の係合部６を充分に内側（ブラケット１の開口部５側）に向けておけば、ブラケット１の係合部６を天井部１４の開口部１４ａに挿入する際に（抜き出す際に）、ブラケット１の係合部６を天井部１４の開口部１４ａの縁部に当てることがない。
【００２３】
前述の［発明の実施の形態］において、固定部材１３を本体部２に備えずにブラケット１に備えるように構成してもよい。
本発明は、天井部１４に取り付ける照明ランプばかりではなく、フロントドアやリヤドア、リヤのハッチドアの内側、Ｂピラーの内側に取り付ける照明ランプにも適用することができる。
【００２４】
【発明の効果】
請求項１の特徴によると、照明ランプにおいて、天井部の開口部の縁部やブラケットの係合部に無理が掛かるような状態を避けながら、天井部の開口部に照明ランプを取り付けたり取り外したりすることができるようになって、天井部の開口部の縁部やブラケットの係合部が破損する状態を少なくすることができて、照明ランプや照明ランプが取り付けられる天井部の耐久性を向上させることができた。
【００２５】
請求項２の特徴によると、請求項１の場合と同様に前述の請求項１の「発明の効果」を備えており、この「発明の効果」に加えて以下のような「発明の効果」を備えている。
請求項２の特徴によると、ブラケットの係合部が弾性的に退避姿勢に復帰するように構成することにより、作業者が手でブラケットの係合部を持って固定姿勢から退避姿勢に操作したり退避姿勢に維持したりしなくても、ブラケットの係合部を天井部の開口部に容易に挿入したり抜き出したりすることができるようになって、作業性を良いものにすることができた。
【図面の簡単な説明】
【図１】  照明ランプのブラケット及び本体部、天井部の開口部の全体斜視図
【図２】  照明ランプを天井部に取り付けた状態を示す横断平面図
【図３】  ブラケットを天井部の開口部に挿入し、次に本体部をブラケットの開口部に挿入して、照明ランプを天井部に取り付けた状態を示す縦断側面図
【符号の説明】
１        ブラケット
２        照明ランプの本体部
３        ブラケットの枠状部
４        ブラケットのフランジ部
５        ブラケットの開口部
６        ブラケットの係合部
８        照明ランプの本体部のフランジ部
１３      固定部材
１４      天井部
１４ａ    天井部の開口部
【図１】
0004303459.tif 000002
【図２】
0004303459.tif 000003
【図３】
0004303459.tif 000004